(57)【要約】【課題】不正行為をより確実に防止できるパチンコ機（弾球遊技機）を提供する。【解決手段】本発明では、前枠２の内部に、表面側が下球皿７へ繋がるように開口するとともに裏面側が溢れ球通路５１へ繋がるように開口する連絡通路２１が形成され、右下部裏機構盤４０における溢れ球通路５１の下流側端部に、右下部裏機構盤４０が前枠２に対して閉じたときに連絡通路２１の裏面側開口部２６と対向して重なる下球皿側開口部５２が形成されており、右下部裏機構盤４０における下球皿側開口部５２の周部を囲むように凸部５３が形成されるとともに、右下部裏機構盤４０が前枠２に対して閉じたときに凸部５３と嵌合する凹部２７が前枠２における裏面側開口部２６の周部を囲むように形成される。【選択図】図４
2007260048.tif 000002
【特許請求の範囲】
【請求項１】
入賞装置が設けられた所定の遊技領域を有する遊技盤と、
前記遊技盤を保持する枠部材と、
前記枠部材における前記遊技盤の下側に設けられ、前記遊技領域に向けて遊技球を打ち出す発射機構と、
前記枠部材の表面側に設けられて遊技球を貯留しつつ前記発射機構へ流下させる上球皿と、
前記枠部材の表面側における前記上球皿の下側に設けられて遊技球を貯留可能な下球皿と、
前記遊技領域における入賞状態に応じて前記上球皿に遊技球を払い出す球払出装置と、
前記枠部材の裏面側に揺動開閉可能に取り付けられ、前記上球皿が遊技球で満たされたときに前記球払出装置から払い出された遊技球を前記下球皿に導く溢れ球通路が内部に形成される通路部材とを備え、
前記枠部材の内部に、表面側が前記下球皿へ繋がるように開口するとともに裏面側が前記溢れ球通路へ繋がるように開口する連絡通路が形成され、
前記通路部材における前記溢れ球通路の下流側端部に、前記通路部材が前記枠部材に対して閉じたときに前記連絡通路の裏面側開口部と対向して重なる通路開口部が形成され、
前記通路部材が前記枠部材に対して閉じたときに、前記通路開口部と前記裏面側開口部とが互いに対向して重なって前記溢れ球通路と前記連絡通路とが繋がるように構成されており、
前記通路部材の前記通路開口部もしくは前記枠部材の前記裏面側開口部における一方の周部を囲むように凸部が形成されるとともに、
前記通路部材が前記枠部材に対して閉じたときに前記凸部と嵌合する凹部が他方の周部を囲むように形成されることを特徴とする弾球遊技機。
【発明の詳細な説明】
【技術分野】
【０００１】
本発明は、パチンコ機等に代表される弾球遊技機に関する。
【背景技術】
【０００２】
弾球遊技機の代表例であるパチンコ機では、開閉搭載枠たる前枠に、所定のゲージ設定で遊技領域が形成された遊技盤がセット保持され、この前枠の裏面側に、裏機構盤と称される機構セット盤がヒンジ機構を介して揺動開閉可能に取り付けられている（例えば、特許文献１を参照）。裏機構盤には、遊技盤における入賞状態に応じて遊技球を払い出す球払出機構や、遊技盤から排出された遊技球を機体の外部に排出する遊技済み球排出機構が設けられるとともに、パチンコ機の作動を制御する電源基板や主制御基板等の各種制御基板が取り付けられる。
【０００３】
また裏機構盤には、上記球払出機構を構成する球払出通路や溢れ球通路、球抜き通路、遊技済み球排出通路等、遊技球の流下経路に応じた複数の球通路が形成される。例えば、溢れ球通路は、上球皿が遊技球で満たされたときに球払出機構から払い出される遊技球を下球皿に導くための球通路であり、裏機構盤が前枠に対して閉じたときに、前枠内部に形成されて下球皿と溢れ球通路とを繋ぐ連絡通路の裏面側開口部に対し、裏機構盤における溢れ球通路の下流側端部に設けられた通路開口部が対向して重なり溢れ球通路と連絡通路および下球皿とが繋がるようになっている。
【特許文献１】特開２００３−１４４７１３号公報
【発明の開示】
【発明が解決しようとする課題】
【０００４】
しかしながら、上述のようなパチンコ機においては、組み付け誤差等により前枠と裏機構盤との間に隙間が生じる場合があり、前枠側の連絡通路と裏機構盤の溢れ球通路との間に形成される隙間から針金等の異物が挿入されて不正行為が行われるおそれがあった。
【０００５】
本発明は、このような問題に鑑みて成されたものであり、不正行為をより確実に防止できる弾球遊技機を提供することを目的とする。
【課題を解決するための手段】
【０００６】
このような目的達成のため、本発明に係る弾球遊技機（例えば、実施形態におけるパチンコ機ＰＭ）は、入賞装置が設けられた所定の遊技領域を有する遊技盤と、遊技盤を保持する枠部材（例えば、実施形態における前枠２）と、枠部材における遊技盤の下側に設けられ、遊技領域に向けて遊技球を打ち出す発射機構（例えば、実施形態における遊技球発射装置９）と、枠部材の表面側に設けられて遊技球を貯留しつつ発射機構へ流下させる上球皿と、枠部材の表面側における上球皿の下側に設けられて遊技球を貯留可能な下球皿と、遊技領域における入賞状態に応じて上球皿に遊技球を払い出す球払出装置と、枠部材の裏面側に揺動開閉可能に取り付けられ、上球皿が遊技球で満たされたときに球払出装置から払い出された遊技球を下球皿に導く溢れ球通路が内部に形成される通路部材（例えば、実施形態における右下部裏機構盤４０）とを備えて構成される。
【０００７】
そして、枠部材の内部に、表面側が下球皿へ繋がるように開口するとともに裏面側が溢れ球通路へ繋がるように開口する連絡通路が形成され、通路部材における溢れ球通路の下流側端部に、通路部材が枠部材に対して閉じたときに連絡通路の裏面側開口部と対向して重なる通路開口部（例えば、実施形態における下球皿側開口部５２）が形成され、通路部材が枠部材に対して閉じたときに、通路開口部と裏面側開口部とが互いに対向して重なって溢れ球通路と連絡通路とが繋がるように構成されており、通路部材の通路開口部もしくは枠部材の裏面側開口部における一方の周部を囲むように凸部が形成されるとともに、通路部材が枠部材に対して閉じたときに凸部と嵌合する凹部が他方の周部を囲むように形成される。
【発明の効果】
【０００８】
本発明によれば、通路部材の通路開口部もしくは枠部材の裏面側開口部における一方の周部を囲むように凸部が形成され、通路部材が枠部材に対して閉じたときに当該凸部と嵌合する凹部が他方の周部を囲むように形成されるため、枠部材の表面側開口部から連絡通路を通過させて枠部材と通路部材との隙間に針金等の異物を挿入しようとしても、凹部と嵌合した凸部により弾球遊技機の内部へ到達するのは非常に困難であることから、弾球遊技機内部への不正行為をより確実に防止することができる。
【発明を実施するための最良の形態】
【０００９】
以下、本発明の好ましい実施形態について図面を参照しながら説明する。本発明に係る弾球遊技機の代表例としてパチンコ機ＰＭを図１〜図４に示している。ここで、図１はパチンコ機ＰＭの正面図、図２はパチンコ機ＰＭを裏面側から見た斜視図、図３は右下部裏機構盤４０が前枠２に対して開きかけた状態を示す斜視図、そして図４はパチンコ機ＰＭの下部を示す側断面図である。
【００１０】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１１】
前枠２の前面側（表面側）上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、遊技盤１０を着脱可能に収容する収容部（図示せず）が設けられており、この収容部に立設姿勢で係止保持された遊技盤１０がガラス扉５を通して視認されるようになっている。
【００１２】
遊技盤１０は、所定板厚の積層合板の表面にセルを貼り付けてルーター加工した化粧板を基板とし、円弧状のレール（図示せず）等に囲まれて略円形状の遊技領域ＰＡが形成される。詳細な図示を省略するが、遊技領域ＰＡには、多数本の遊技釘や風車（図示せず）とともに各種入賞装置（図示せず）等の遊技構成部品が取り付けられている。
【００１３】
前枠２の前面（表面側）における上記ガラス扉５の下側には、遊技球を貯留する上球皿６が取り付けられており、この上球皿６の下側には下球皿７および発射ハンドル８が取り付けられている。また、詳細な図示を省略するが、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置９等が設けられている。
【００１４】
前枠２の背面側（裏面側）上部には、図２に示すように、上部裏機構盤３０が前枠２の後方へ揺動開閉可能に取り付けられ、常には前枠２の背面上部を覆う閉鎖状態に保持される。上部裏機構盤３０には、遊技球を貯留するとともに貯留した遊技球を整列させて流下させる球貯留タンク３１、球圧を軽減して遊技球を下方に流下させるＳ字レール３２、遊技領域ＰＡでの入賞状態等に基づいて遊技球を払い出す球払出装置３３等の遊技球の処理機構が設けられている。
【００１５】
前枠２の背面側（裏面側）における左下部には、左下部裏機構盤３５が前枠２の後方へ揺動開閉可能に取り付けられ、常には前枠２の背面左下部を覆う閉鎖状態に保持される。一方、前枠２の背面側（裏面側）における右下部には、左下部裏機構盤３５と対称的に右下部裏機構盤４０が前枠２の後方へ揺動開閉可能に取り付けられ、常には前枠２の背面右下部を覆う閉鎖状態に保持される。なお、図３に示すように、右下部裏機構盤４０は、左下部裏機構盤３５が前枠２に対して閉じた状態で、前枠２の後方へ揺動開閉できるようになっている。左下部裏機構盤３５および右下部裏機構盤４０には、各制御装置および電子部品等に電力を供給する電源ユニット３６や、パチンコ機ＰＭの作動を統括的に制御する主制御装置３７等が取り付けられており、これらが図示しないコネクタケーブルで接続されてパチンコ機ＰＭが作動可能に構成される。
【００１６】
パチンコ機ＰＭは、ガラス扉５、上下の裏機構盤３０，３５，４０等が閉鎖保持された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置９により１球ずつ遊技領域ＰＡに打ち出され、パチンコゲームが展開される。
【００１７】
次に、図５を追加参照しながら、右下部裏機構盤４０についてさらに詳しく説明する。ここで、図５は右下部裏機構盤４０の正断面図である。右下部裏機構盤４０は、図５に示すように、ＡＢＳ樹脂等の透明樹脂材料を用いて、内部に複数の球通路が形成された箱状に形成される。右下部裏機構盤４０には、球払出装置３３から払い出された遊技球を上球皿６に導く球払出通路４１と、上球皿６が遊技球で満たされたときに球払出装置３３から払い出された遊技球を球払出通路４１から下球皿７に導く溢れ球通路５１と、図示しない球抜き機構を用いて球貯留タンク３１およびＳ字レール３２から球抜きされた遊技球をパチンコ機ＰＭの外部に導く球排出通路６１とが形成される。
【００１８】
球払出通路４１は、上端部が開口して上下方向に延びる上下通路部４２と、上流側が上下通路部４２の下流側と繋がって左右方向に延びる左右通路部４３と、上流側が左右通路部４３の下流側と繋がって左右通路部４３とほぼ平行に延びる溜まり通路部４４とを有して構成される。上下通路部４２の上端部には第１上側開口部４５が形成されており、球払出装置３３から払い出された遊技球がこの第１上側開口部４５を通過して上下通路部４２に達するようになっている。上下通路部４２の下方には、断面視Ｌ字形の第１ガイド部材４８が設けられており、第１ガイド部材４８の底面に沿って緩やかに傾斜する左右通路部４３が形成されるようになっている。
【００１９】
左右通路部４３と同様に緩やかに傾斜する溜まり通路部４４の底部は、左右通路部４３の底部より低くなっており、溜まり通路部４４の底部と左右通路部４３の底部との間には、溢れ球通路５１に繋がる溢れ球誘導口４７が形成されるようになっている。溜まり通路部４４の下流側端部前面側（表面側）には、上球皿６に繋がる上球皿側開口部４６が形成されており、溜まり通路部４４の下流部に達した遊技球がこの上球皿側開口部４６を通過して上球皿６に達するようになっている。また、溜まり通路部４４の下流側端部には、溜まり通路部４４の下流部に達した遊技球を上球皿側開口部４６に導く断面視円弧状の第２ガイド部材４９が設けられている。
【００２０】
溢れ球通路５１は、溢れ球誘導口４７から溜まり通路部４４の底部に沿って下方にＵターンして、溜まり通路部４４の下側で緩やかに傾斜して延びるように形成される。溢れ球通路５１の下流側端部前面側（表面側）には、下球皿７に繋がる下球皿側開口部５２が形成されており、溢れ球通路５１の下流部に達した遊技球がこの下球皿側開口部５２を通過して下球皿７に達するようになっている。また、右下部裏機構盤４０における下球皿側開口部５２の周部には、下球皿側開口部５２の周部を囲むように凸部５３が形成されている。
【００２１】
球排出通路６１は、上流側が上下通路部４２と平行に延びるように形成され、球貯留タンク３１およびＳ字レール３２から球抜きされた遊技球がこの球排出通路６１を通過して、右下部裏機構盤４０の下端部からパチンコ機ＰＭの外部へ排出されるようになっている。球排出通路６１の上端部には、第１上側開口部４５に隣接して第２上側開口部６２が形成されており、球貯留タンク３１およびＳ字レール３２から球抜きされた遊技球がこの第２上側開口部６２を通過して球排出通路６１に達するようになっている。
【００２２】
ところで、前枠２の下側内部には、図４に示すように、表面側（前面側）が下球皿７へ繋がるように開口するとともに、裏面側（背面側）が右下部裏機構盤４０の溢れ球通路５１へ繋がるように開口する連絡通路２１が形成される。連絡通路２１は、前枠２の裏面側から前方に傾斜して延びる第１連絡通路部２２と、第１連絡通路部２２の下流側端部から下方に延びる第２連絡通路部２３と、第２連絡通路部２３の下流側端部から前方に傾斜して延びる第３連絡通路部２４とを有して構成される。
【００２３】
第１連絡通路部２２（すなわち、連絡通路２１）の上流側端部には、前枠２の裏面側（背面側）で開口する裏面側開口部２６が形成されており、右下部裏機構盤４０が前枠２に対して閉じたときに、右下部裏機構盤４０の下球皿側開口部５２と裏面側開口部２６とが互いに対向して重なって溢れ球通路５１と第１連絡通路部２２（すなわち、連絡通路２１）とが繋がるように構成されている。前枠２における裏面側開口部２６の周部には、裏面側開口部２６の周部を囲むように凹部２７が形成されており、右下部裏機構盤４０が前枠２に対して閉じたときに右下部裏機構盤４０の凸部５３と嵌合するようになっている。
【００２４】
第３連絡通路部２４（すなわち、連絡通路２１）の下流側端部には、前枠２の表面側（前面側）で開口する表面側開口部２５が形成されており、下球皿７と第３連絡通路部２４（すなわち、連絡通路２１）とが繋がるようになっている。また、第３連絡通路部２４の底部から第２連絡通路部２３の後方壁部にかけて、断面視Ｌ字形のアース板金２８が取り付けられており、遊技球に帯電した静電気を除電するようになっている。このように、第３連絡通路部２４の底部から第２連絡通路部２３の後方壁部にかけてアース板金２８が取り付けられることで、表面側開口部２５から連絡通路２１内にはんだごてやドリル等を挿入して、これらを第２連絡通路部２３の後方壁部に接触させても、アース板金２８によって樹脂製の前枠２に穴が空きにくくなることから、パチンコ機ＰＭ内部への不正行為をより確実に防止することができる。
【００２５】
このように構成されるパチンコ機ＰＭにおいて、前述したように、右下部裏機構盤４０が前枠２に対して閉鎖保持された状態で遊技に供される。右下部裏機構盤４０が前枠２に対して閉じたときには、右下部裏機構盤４０の下球皿側開口部５２と前枠２の裏面側開口部２６とが互いに対向して重なり、右下部裏機構盤４０の溢れ球通路５１と前枠２の連絡通路２１（第１連絡通路部２２）とが繋がるようになっている。このとき、右下部裏機構盤４０の凸部５３が前枠２の凹部２７と嵌合するため、前枠２の表面側開口部２５から連絡通路２１を通過させて前枠２と右下部裏機構盤４０との隙間に針金等の異物を挿入しようとしても、凹部２７と嵌合した凸部５３によりパチンコ機ＰＭの内部へ到達するのは非常に困難であることから、パチンコ機ＰＭ内部への不正行為をより確実に防止することができる。
【００２６】
なお、球払出装置３３から払い出された遊技球は、右下部裏機構盤４０において、球払出通路４１の第１上側開口部４５から、上下通路部４２、左右通路部４３、および溜まり通路部４４をこの順で転動流下したのち、上球皿側開口部４６を通過して上球皿６に達する。上球皿６が遊技球で満たされると、球払出装置３３から払い出された遊技球は、上球皿６に達することなく溜まり通路部４４に留まることになり、溜まり通路部４４が所定量の遊技球で満たされると、溜まり通路部４４から溢れ球誘導口４７を通過して溢れ出た遊技球が溢れ球通路５１および連絡通路２１を転動流下したのち、前枠２の表面側開口部２５を通過して下球皿７に達する。
【００２７】
これにより、本実施形態のパチンコ機ＰＭによれば、右下部裏機構盤４０における下球皿側開口部５２の周部を囲むように凸部５３が形成され、右下部裏機構盤４０が前枠２に対して閉じたときに当該凸部５３と嵌合する凹部２７が前枠２における裏面側開口部２６の周部を囲むように形成されるため、前枠２の表面側開口部２５から連絡通路２１を通過させて前枠２と右下部裏機構盤４０との隙間に針金等の異物を挿入しようとしても、凹部２７と嵌合した凸部５３によりパチンコ機ＰＭの内部へ到達するのは非常に困難であることから、パチンコ機ＰＭ内部への不正行為をより確実に防止することができる。
【００２８】
なお、上述の実施形態において、右下部裏機構盤４０における下球皿側開口部５２の周部を囲むように凸部５３が形成され、前枠２における裏面側開口部２６の周部を囲むように凹部２７が形成されているが、これに限られるものではなく、右下部裏機構盤４０における下球皿側開口部５２の周部を囲むように凹部が形成され、前枠２における裏面側開口部２６の周部を囲むように凸部が形成されてもよい。
【００２９】
また、上述の実施形態において、本発明に係る弾球遊技機としてパチンコ機ＰＭを例に説明しているが、これに限られるものではなく、例えば、アレンジボール機や雀球遊技機等の弾球遊技機に対しても本発明を適用することができる。
【図面の簡単な説明】
【００３０】
【図１】本発明に係る弾球遊技機の代表例であるパチンコ機の正面図である。
【図２】上記パチンコ機を裏面側から見た斜視図である。
【図３】右下部裏機構盤が前枠に対して開きかけた状態を示す斜視図である。
【図４】パチンコ機の下部を示す側断面図である。
【図５】右下部裏機構盤の正断面図である。
【符号の説明】
【００３１】
ＰＭ  パチンコ機（弾球遊技機）
ＰＡ  遊技領域
２  前枠（枠部材）
６  上球皿
７  下球皿
９  遊技球発射装置（発射機構）
１０  遊技盤
２１  連絡通路
２５  表面側開口部
２６  裏面側開口部
２７  凹部
３３  球払出装置
４０  右下部裏機構盤（通路部材）
５１  溢れ球通路
５２  下球皿側開口部（通路開口部）
５３  凸部
【図１】
2007260048.tif 000003
【図２】
2007260048.tif 000004
【図３】
2007260048.tif 000005
【図４】
2007260048.tif 000006
【図５】
2007260048.tif 000007